(57)【要約】      （修正有）【課題】給水に対応可能な非常用袋を提供する。【解決手段】非常時に使用される物資を収容する非常用袋１であって、遮水性を備えたシート状部材を水密に接合して、水を運搬可能な袋状に形成しており、シート状部材は、第一側面シート１０と第二側面シート２０と底面シート３０とから構成されており、第一側面シート１０および第二側面シート２０の一方は、内部を視認可能な光透過性を有し、第一側面シート１０または第二側面シート２０の他方は、光反射率の高い色彩を備えることを特徴とする。【選択図】図１
0003169865.tif 000002
【実用新案登録請求の範囲】
【請求項１】
非常時に使用される物資を収容する非常用袋であって、
遮水性を備えたシート状部材を水密に接合して、水を運搬可能な袋状に形成した
ことを特徴とする非常用袋。
【請求項２】
前記シート状部材は、第一側面シートと第二側面シートと底面シートとから構成されており、
前記第一側面シートおよび前記第二側面シートの少なくともいずれか一方は、内部を視認可能な光透過性を有する
ことを特徴とする請求項１に記載の非常用袋。
【請求項３】
前記シート状部材は、第一側面シートと第二側面シートと底面シートとから構成されており、
前記第一側面シートまたは前記第二側面シートの一方は、内部を視認可能な光透過性を有し、
前記第一側面シートまたは前記第二側面シートの他方は、光反射率の高い色彩を備える
ことを特徴とする請求項１に記載の非常用袋。
【請求項４】
前記第一側面シートおよび前記第二側面シートの上部には、気密状態に開閉可能なファスナー部が設けられている
ことを特徴とする請求項２または請求項３に記載の非常用袋。
【請求項５】
前記第一側面シートおよび前記第二側面シートの少なくとも一方には、上限水位線が図示されている
ことを特徴とする請求項２乃至請求項４のいずれか１項に記載の非常用袋。
【請求項６】
前記第一側面シートおよび前記第二側面シートの上部には、把持用開口部が形成されている
ことを特徴とする請求項２乃至請求項５のいずれか１項に記載の非常用袋。
【考案の詳細な説明】
【技術分野】
【０００１】
本考案は、非常用袋に関する。
【背景技術】
【０００２】
地震、洪水、火災などの非常時に使用される物資を収容する非常用袋は、従来より種々のものが提案されている。例えば、特許文献１には、寝具を小さい体積で持ち運ぶために、寝具を減圧密閉状態で収容可能に形成された持ち出し収納袋が示されている。特許文献２には、避難時の安全性を高めるために頭部を保護するためのフードを備えたリュックが示されている。特許文献３には、収納する食料、飲料、医薬品等を収容するための凹部を備えた樹脂成形品を収容した持出袋が示されている。
【先行技術文献】
【特許文献】
【０００３】
【特許文献１】特開２００６−２３８９８５号公報
【特許文献２】特開２０００−６０６３８号公報
【特許文献３】特開平８−５６７３１号公報
【考案の概要】
【考案が解決しようとする課題】
【０００４】
災害が発生した場合には、水道などのライフラインが破損して断水してしまうことがある。震災地などにおける避難所では、給水車などによる飲料水の給水が行われることがあるが、従来の非常用袋では、給水に対応することはできなかった。給水に対応できるように大容量のタンクを非常用袋に収納することも考えられるが、この場合、タンクの容積が大きく他の物資の収納が困難になってしまう。また、飲料水を入れたペットボトル等を収納するものがあったが、空のペットボトルに給水したとしても、少量の水しか配布を受けられないという問題があった。
【０００５】
そこで、本考案は、前記問題を解決するために案出されたものであり、給水に対応可能な非常用袋を提供することを課題とする。
【課題を解決するための手段】
【０００６】
前記課題を解決するための本考案は、非常時に使用される物資を収容する非常用袋であって、遮水性を備えたシート状部材を水密に接合して、水を運搬可能な袋状に形成したことを特徴とする。
【０００７】
つまり、本考案は、非常用袋に、非常時に使用される物資の収容機能と併せて水の貯留運搬機能を持たせたことを特徴とするものである。このような構成によれば、平常時は物資を収容して保管しておき、非常時に物資を使用することができる上に、非常用袋自体を水タンクとして利用することができるので、大量の水を貯留して運搬でき、給水に対応が可能となる。
【０００８】
請求項２に係る考案は、前記シート状部材が、第一側面シートと第二側面シートと底面シートとから構成されており、前記第一側面シートおよび前記第二側面シートの少なくともいずれか一方は、内部を視認可能な光透過性を有することを特徴とする。
【０００９】
このような構成によれば、内部に何が収容されているかを目視できる上に、水を貯留した際には水の貯留量を目視することができる。
【００１０】
請求項３に係る考案は、前記シート状部材が、第一側面シートと第二側面シートと底面シートとから構成されており、前記第一側面シートまたは前記第二側面シートの一方は、内部を視認可能な光透過性を有し、前記第一側面シートまたは前記第二側面シートの他方は、光反射率の高い色彩を備えることを特徴とする。
【００１１】
本考案における「光反射率の高い色彩」とは、金属光沢を有する金色、銀色または銅色を示す。このような構成によれば、内部に何が収容されているかを目視できる上に、非常用袋を際立たせることができる。
【００１２】
請求項４に係る考案は、前記第一側面シートおよび前記第二側面シートの上部には、気密状態に開閉可能なファスナー部が設けられていることを特徴とする。
【００１３】
このような構成によれば、非常用袋の収容スペースが外気と密閉遮断されるので、物資の保管性が高くなり、埃の浸入やカビの発生を防止できる。
【００１４】
請求項５に係る考案は、前記第一側面シートおよび前記第二側面シートの少なくとも一方には、上限水位線が図示されていることを特徴とする。
【００１５】
このような構成によれば、水の貯留容量を確認することができる。
【００１６】
請求項６に係る考案は、前記第一側面シートおよび前記第二側面シートの上部には、把持用開口部が形成されていることを特徴とする。
【００１７】
このような構成によれば、非常用袋を吊り下げて把持することができるので、運搬をし易くなる。
【考案の効果】
【００１８】
本考案の非常用袋によれば、給水にも対応することが可能である。
【図面の簡単な説明】
【００１９】
【図１】実施形態に係る非常用袋を示した図であって、（ａ）は正面図、（ｂ）は背面図、（ｃ）は非収容時の底面図、（ｄ）は収容時の底面図である。
【図２】実施形態に係る非常用袋のシート状部材のうち（ａ）は第一側面シート、（ｂ）は第二側面シート、（ｃ）は底面シートを示した図である。
【図３】実施形態に係る非常用袋に物資を収容した状態を示した斜視図である。
【図４】実施形態に係る非常用袋に水を貯留した状態を示した斜視図である。
【考案を実施するための形態】
【００２０】
図３に示すように、本考案の実施形態に係る非常用袋１は、非常時に使用される非常用物資（物資）２を収容するものである。非常用物資２の種類・用途に制限はないが、例えば、懐中電灯やタオルなどである。非常用袋１は、遮水性を備えたシート状部材３を水密に接合して、袋内に収容可能な容量の水Ｗを運搬可能な袋状に形成したことを特徴とする。つまり、非常用袋１は、避難場所に避難した場合などの非常時に、水Ｗを貯留運搬することができるように構成されている（図４参照）。非常用袋１は、物資２の収容機能と併せて水Ｗの貯留運搬機能を備えていたものである。
【００２１】
非常用袋１を構成するシート状部材３は、図２に示すように、第一側面シート１０と第二側面シート２０と底面シート３０の３つの部材から構成されている。図２において、第一側面シート１０と第二側面シート２０は内側から見た状態を示し、底面シート３０は開いた状態を示している。非常用袋１の胴部分は、第一側面シート１０と第二側面シート２０が互いに貼り合わされて構成され、底部分は、第一側面シート１０の下部と底面シート３０、第二側面シート２０の下部と底面シート３０が、それぞれ貼り合わされて構成されている。第一側面シート１０と第二側面シート２０と底面シート３０とは、それぞれ熱溶着によって接合されている。熱溶着は、外気温や材質の状態に応じて２００〜４００℃の範囲の温度にて適宜行われる。
【００２２】
第一側面シート１０は、内部を視認可能な光透過性を有する。第一側面シート１０は、例えば、透明の二軸延伸ポリプロピレン（ＯＰＰ：Oriented Polypropylene）製フィルムと、透明のポリエチレンテレフタレート（ＰＥＴ：Polyethylene terephthalate）製フィルムと、透明の無延伸ポリプロピレン（ＣＰＰ：Cast Polypropylene）製フィルムとを貼り合わせて形成した複層シート（ＯＰＰ／ＰＥＴ／ＣＰＰ）にて構成されている。第一側面シートは、約０．１１ｍｍの厚さを有しており、非常用袋１の内部に収容できる容量の水Ｗの重量に対抗できる強度を備えている。なお、第一側面シート１０の材質は、前記のものに限定されるものではなく、必要な強度を備え、非常用袋１を立てた状態で載置できるものであればよい。
【００２３】
第一側面シート１０は、上平行部１１と拡幅部１２と下平行部１３とが一体化された形状を呈している。上平行部１１は、上下に延びる左右の側辺１１ａ，１１ａが互いに平行になっており、側面視略長方形形状を呈する面にて構成されている。上平行部１１は、使用者が把持する部分であって、把持用開口部１４が形成されている。上平行部１１の上端角部は、円弧状に面取りされている。上平行部１１の側辺１１ａから所定幅の範囲が、第二側面シート２０との溶着代１１ｂとなる。上平行部１１の下端部には、気密状態に開閉可能なファスナー部５の凸条５ａが設けられている。凸条５ａは、横方向に延在しており、左右両側の溶着代１１ｂ，１１ｂの間を塞ぐように形成されている。
【００２４】
拡幅部１２は、上端が上平行部１１と連続して繋がり、下端が下平行部１３と連続して繋がる。拡幅部１２は、上端から下端に向かうに連れて幅が広くなるようになっている。拡幅部１２は、上下に延びる左右の側辺１２ａ，１２ａが下端に向かうに連れて互いに外側に広がっており、側面視略台形形状を呈する面にて構成されている。拡幅部１２の側辺１２ａから所定幅（溶着代１１ｂと同等の幅）の範囲が、第二側面シート２０との溶着代１２ｂとなる。拡幅部１２の溶着代１２ｂ，１２ｂ以外の部分（溶着代１２ｂ，１２ｂの間の部分）は、非常用袋１の収容スペースＳ（図３，４参照）の一方の片側面の一部を構成する。この側面部１２ｃには、非常用袋１内に貯留可能な水量の上限水位線Ｌが図示されている。なお、上限水位線Ｌの他に、貯留水量を表示する目盛りを図示してもよい。
【００２５】
下平行部１３は、上下に延びる左右の側辺１３ａ，１３ａが互いに平行になっており、側面視略長方形形状を呈する面にて構成されている。下平行部１３は、底面シート３０が貼り付けられる部分である。下平行部１３の下端角部は、直線状に面取りされている。下平行部１３の側辺１３ａと底辺１３ｂから所定幅の範囲が、底面シート３０との溶着代１３ｃとなる。底面シート３０との溶着代１３ｃの形状は後述する。下平行部１３の溶着代１３ｃ以外の部分は、非常用袋１の収容スペースＳ（図３，４参照）の一方の片側面の残部（拡幅部１２の側面部１２ｃを除いた部分）を構成する。
【００２６】
第二側面シート２０は、光を殆んど透過せず内部を視認不可能であって、光反射率の高い色彩を備えている。光反射率の高い色彩とは、光を多く反射することで目立つ色であって、金属光沢を有する金色、銀色や銅色（本実施形態では銀色）などの金属色を示す。なお、本実施形態では、第二側面シート２０は、銀色であるが、これに限定されるものではなく、金色や銅色などの他の金属色であってもよいし、金属色以外の彩度や明度の高い鮮やかな色彩であってもよい。本実施形態の第二側面シート２０は、例えば、透明の二軸延伸ポリプロピレン（ＯＰＰ：Oriented Polypropylene）製フィルムと、透明のポリエチレンテレフタレート（ＰＥＴ：Polyethylene terephthalate）製フィルムと、透明の無延伸ポリプロピレン（ＣＰＰ：Cast Polypropylene）製フィルムとを貼り合わせて形成した複層シートの表面にアルミニウムを蒸着して構成されている（ＯＰＰ／ＰＥＴ／ＣＰＰ／アルミニウムコート）。第二側面シート２０は、約０．１１ｍｍの厚さを有しており、非常用袋１の内部に収容できる容量の水Ｗの重量に対抗できる強度を備えている。なお、第二側面シート２０の材質は、前記のものに限定されるものではなく、必要な強度を備え、非常用袋１を立てた状態で載置できるものであればよい。第二側面シート２０は、光を殆んど透過せず、非常用袋１の内部を目視することができないので、目隠しの役目を果たすとともに、全体が銀色となり非常用袋１の存在感を際立たせる役目を果たす。
【００２７】
第二側面シート２０は、上平行部２１と拡幅部２２と下平行部２３とが一体化された形状を呈している。上平行部２１は、第一側面シート１０の上平行部１１と同形状となっている。上平行部２１には、把持用開口部１４と同形状の把持用開口部２４が形成されている。上平行部２１の左右両側には、第一側面シート１０との溶着代２１ｂが側辺２１ａから所定幅の範囲に位置している。上平行部２１の下端部には、気密状態に開閉可能なファスナー部５の凹溝５ｂが設けられている。凹溝５ｂには凸条５ａが圧入されて気密性を確保する。凹溝５ｂは、横方向に延在しており、左右両側の溶着代２１ｂ，２１ｂの間を塞ぐように形成されている。
【００２８】
拡幅部２２は、第一側面シート１０の拡幅部１２と同形状となっており、上端から下端に向かうに連れて幅が広くなるようになっている。拡幅部２２の左右両側には、第一側面シート１０との溶着代２２ｂが側辺２２ａから所定幅の範囲に位置している。拡幅部２２の溶着代２２ｂ，２２ｂ以外の部分（溶着代２２ｂ，２２ｂの間の部分）は、非常用袋１の収容スペースＳの他方の片側面の一部を構成する。この側面部２２ｃの外側表面（図１参照）には、赤色やオレンジ色などの暖色系の色で、非常用袋１の用途名称および説明文が記載されている。なお、本実施形態では「緊急持出袋」と記載されているが、記載される文字や説明文は前記のものに限定されるものではない。さらに、文字以外に記号や図を記載するようにしてもよい。
【００２９】
下平行部２３は、第一側面シート１０の下平行部１３と同形状となっており、第一側面シート１０全体と第二側面シート２０全体が同等の形状になっている。第一側面シート１０と第二側面シート２０同士が互いに重なり合う。下平行部２３は、底面シート３０が貼り付けられる部分である。下平行部２３の左右両側と下部には、底面シート３０との溶着代２３ｃが下平行部２３の側辺２３ａと底辺２３ｂから所定幅の範囲に位置している。下平行部２３の溶着代２３ｃ以外の部分は、非常用袋１の収容スペースＳ（図３，４参照）の他方の片側面の残部（拡幅部２２の側面部２２ｃを除いた部分）を構成する。
【００３０】
底面シート３０は、第一側面シート１０と同様の複層シートにて構成されており、内部を視認可能な光透過性を有している。第一側面シートは、約０．１１ｍｍの厚さを有しており、非常用袋１の内部に収容できる容量の水Ｗの重量に対抗できる強度を備えている。なお、底面シート３０の厚さを第一側面シート１０よりも厚くして強度を高めるように構成してもよい。
【００３１】
底面シート３０は、下平行部１３，２３と同等の幅となる長辺３１ａを有し、下平行部１３，２３の高さの２倍の高さとなる短辺３１ｂを有する略長方形形状を呈している。底面シート３０の四隅は、下平行部１３，２３の下端角部と同様に、直線状に面取りされている。底面シート３０は、短辺３１ｂ，３１ｂの中間部３２ａ，３２ａを結ぶ線を折り目３２として折り畳まれた状態で、外側のとなる面でそれぞれ下平行部１３，２３と溶着される。短辺３１ｂの中間部３２ａが、拡幅部１２（２２）と下平行部１３（２３）との境界部分に位置する。折り目３２を境界として、一方の半面３０ａが第一側面シート１０の下平行部１３と溶着され、他方の半面３０ｂが第二側面シート２０の下平行部２３と溶着される。底面シート３０は、同じ側の面が下平行部１３（２３）と溶着される。下平行部１３（２３）と熱溶着される溶着代（溶着面部）３３は、半面３０ａ（３０ｂ）の折り目３２を弦とする円弧３３ａよりも外側に位置する。円弧３３ａよりも内側部分は、非常用袋１を広げた状態で収容スペースＳの底面３３ｂを構成する。
【００３２】
短辺３１ｂの両端部近傍には、折り畳まれた状態で、底面シート３０の外側表面同士を溶着する第二溶着代３４が位置している。第二溶着代３４は、第一側面シート１０、第二側面シート２０および底面シート３０同士の溶着が完了した後に、最終的に溶着される部分であって、下平行部１３，２３の左右両端部同士を溶着して袋が広がるのを防止している（図１の（ｃ）および（ｄ）参照）。
【００３３】
以上の構成の第一側面シート１０、第二側面シート２０および底面シート３０を熱溶着により一体化してなる非常用袋１は、図１に示すように、収容スペースＳに物資２（図３参照）や水Ｗ（図４参照）を収容しない状態では、（図１の（ｃ）参照）折り畳まれて薄い状態で保管が可能である（図１の（ｃ）参照）。一方、収容スペースＳに物資２（図３参照）を収容したり、水Ｗ（図４参照）を貯留した状態では、底面シート３０が広がって、収容スペースＳの容積が大きくなる（図１の（ｄ）参照）。このとき、底面シート３０は、円弧３３ａを境界として折れ曲がり、非常用袋１を立てた状態で、溶着代３３部分が略垂直になり、底面３３ｂが略水平となる。
【００３４】
収容スペースＳに物資２を収容した場合は、図３に示すように、物資２の形状に応じて、第一側面シート１０と第二側面シート２０が広がり、非常用袋１が適度な大きさとなる。本実施形態では、第一側面シート１０が光透過性を有しているので、非常用袋１を開けることなく、何が収容されているかを目視によって確認することができる。また、第二側面シート２０は光を殆んど透過せず内部を視認不可能であって、光反射率の高い色彩（銀色）を備えているので、目隠しの役目を果たすとともに、非常用袋１が目立つので、その存在感を際立たせることができる。また、収容スペースＳはファスナー部５によって、気密状態に区画されており、内部への埃や虫の侵入や、内部でのカビの発生を防止できる。
【００３５】
収容スペースＳに水Ｗを貯留した場合は、図４に示すように、第一側面シート１０と第二側面シート２０が広がって底面シート３０が水平になり、非常用袋１が最大限の大きさとなる。このとき、第一側面シート１０と第二側面シート２０は下部の幅が広くなっているので、大容量の水Ｗを貯留することができる。また、底面シート３０が水平になって水Ｗを貯留するので、下平行部１３，２３の下端部が環状になり、非常用袋１を立てた状態で載置することができる。第一側面シート１０が光透過性を有しているので、内部の水Ｗの容量を目視によって簡単に確認することができる。また、水量を目視しながら上限水位線Ｌまで貯めることで、適量の水Ｗを貯留することができる。これによって、非常用袋１を傷めることなく水Ｗを貯留でき、複数回利用することができる。さらに、収容スペースＳはファスナー部５によって、気密状態に区画されているので、万一、非常用袋１が転倒しても水Ｗが流れ出るのを防止できる。
【００３６】
以上のように、本考案は、非常用袋１に、物資２の収容機能と併せて水Ｗの貯留運搬機能を持たせたことを特徴とするものであって、平常時は物資２を収容して保管しておき、非常時に物資２を運んで避難することができる上に、避難した後に、非常用袋１自体を水タンクとして利用することができるので、大量の水を貯留して運搬でき、大容量の給水に対応が可能となる。
【００３７】
さらに、把持用開口部１４，２４が形成されているので、非常用袋１を吊り下げて把持することができ、運搬がし易くなる。なお、把持用開口部１４，２４の周縁部に、リング状の補強部材を周設してもよい。このようにすれば、第一側面シート１０と第二側面シート２０の変形を抑制でき、耐久性を高めることができる。
【００３８】
以上、本考案の実施形態について説明したが、本考案の実施形態はこれに限定されるものではなく、本考案の趣旨を逸脱しない範囲で適宜変更が可能である。例えば、前記実施形態では、第一側面シート１０が光透過性を有する構成とし、第二側面シート２０が光を殆んど透過しない構成としたが、これに限定されるものではない。内部に収容するものに応じて、第一側面シートと第二側面シートの両方が光透過性を有する構成としてもよいし、光を殆んど透過せず内部を視認不可能な構成としてもよい。
【００３９】
また、第一側面シート１０、第二側面シート２０および底面シート３０の素材や厚さは、前記形態に限定されるものではなく、収容される物資や貯留する水量に応じて適宜変更可能である。
【符号の説明】
【００４０】
１      非常用袋
２      物資
３      シート状部材
５      ファスナー部
１０    第一側面シート
１４    把持用開口部
２０    第二側面シート
２４    把持用開口部
３０    底面シート
Ｌ      上限水位線
Ｗ      水
【図１】
0003169865.tif 000003
【図２】
0003169865.tif 000004
【図３】
0003169865.tif 000005
【図４】
0003169865.tif 000006